(57)【要約】      （修正有）【課題】各センサ部において形成されるコンデンサの容量を効果的に増加させることができるタッチパネルセンサを提供する。【解決手段】タッチパネルセンサは、第１方向及び第１方向に交差する第２方向に並び、各々が第１電極３０及び第２電極４０を含む複数のセンサ部と、複数のセンサ部の第１電極３０にそれぞれ接続された複数の第１配線２６と、センサ部の第２電極４０に接続された複数の第２配線２８と、複数のセンサ部、複数の第１配線２６及び複数の第２配線２８が配置された基材と、を備える。第１電極３０は、第１方向に交差する第３方向に延びる複数の第１線状部分３１を含む。第２電極４０は、隣り合う２つの第１線状部分３１の間に位置し、第３方向に延びる複数の第２線状部分４１を含む。【選択図】図３
2018109823.tif 000002
【特許請求の範囲】
【請求項１】
第１方向及び前記第１方向に交差する第２方向に並び、各々が第１電極及び第２電極を含む複数のセンサ部と、
前記センサ部の前記第１電極にそれぞれ接続された複数の第１配線と、
前記センサ部の前記第２電極にそれぞれ接続された複数の第２配線と、
前記複数のセンサ部、前記複数の第１配線及び前記複数の第２配線が配置された基材と、を備え、
前記基材は、前記複数のセンサ部が配置された第１領域と、前記第１領域の周辺に位置する第２領域と、に区画され、
前記複数の第１配線及び前記複数の第２配線は、前記第２領域まで延びており、
前記第１電極は、第３方向に延びる複数の第１線状部分を含み、
前記第２電極は、隣り合う２つの前記第１線状部分の間に位置し、前記第３方向に延びる複数の第２線状部分を含み、
前記第１電極及び前記第２電極は、各々、網目状のパターンを有する電極用導線網であって、第４方向に沿って直線状に延びる複数の第４方向電極用導線と、前記第４方向に交差する第５方向に沿って直線状に延びる複数の第５方向電極用導線と、を有する電極用導線網を含み、
前記電極用導線網によって画成される各開口部の前記第３方向における寸法が、当該開口部の前記第３方向に直交する方向における寸法よりも大きく、
前記第１電極の前記第１線状部分及び前記第２電極の前記第２線状部分の各々において、前記第４方向電極用導線及び前記第５方向電極用導線の交点が、前記第３方向に直交する方向に沿って少なくとも２つ以上並んでいる、タッチパネルセンサ。
【請求項２】
前記第２電極の前記第４方向電極用導線の９割以上が、前記第１電極の前記第４方向電極用導線のいずれかの延長線と重なり、
前記第２電極の前記第５方向電極用導線の９割以上が、前記第１電極の前記第５方向電極用導線のいずれかの延長線と重なる、請求項１に記載のタッチパネルセンサ。
【請求項３】
前記複数の第１配線のうち前記第１方向に並ぶ複数のセンサ部の第１電極に接続された複数の第１配線が、前記第１領域において、前記第１方向に延び、且つ前記第２方向に並んでおり、
前記第１配線は、各々、網目状のパターンを有する第１配線用導線網であって、第４方向に沿って直線状に延びる複数の第４方向第１配線用導線と、前記第５方向に沿って直線状に延びる複数の第５方向第１配線用導線と、を有する第１配線用導線網を含み、
第１配線用導線網によって画成される各開口部の前記第１方向における寸法が、当該開口部の前記第１方向に直交する方向における寸法よりも大きく、
前記複数の第１配線の各々において、前記第４方向第１配線用導線及び前記第５方向第１配線用導線の交点が、前記第１方向に直交する方向に沿って少なくとも２つ以上並んでいる、請求項１又は２に記載のタッチパネルセンサ。
【請求項４】
前記複数の第２配線は、各々、網目状のパターンを有する第２配線用導線網であって、前記第４方向に沿って直線状に延びる複数の第４方向第２配線用導線と、前記第５方向に沿って直線状に延びる複数の第５方向第２配線用導線と、を有する第２配線用導線網を含み、
前記第４方向第１配線用導線及び前記第４方向第２配線用導線の９割以上が、前記第１電極の前記第４方向電極用導線のいずれかの延長線と重なり、
前記第５方向第１配線用導線及び前記第５方向第２配線用導線の９割以上が、前記第１電極の前記第５方向電極用導線のいずれかの延長線と重なる、請求項３に記載のタッチパネルセンサ。
【請求項５】
前記第１線状部分が延びる前記第３方向が、前記第１配線が延びる前記第１方向に対して成す角度が、−１０°〜１０°である、請求項１乃至４のいずれか一項に記載のタッチパネルセンサ。
【請求項６】
前記センサ部は、前記第１電極の前記第１線状部分と前記第２電極の前記第２線状部分との間に位置し、前記第１電極及び前記第２電極のいずれにも接続されていないダミー電極を更に有し、
前記ダミー電極は、網目状のパターンを有するダミー電極用導線網であって、前記第４方向に沿って直線状に延びる複数の第４方向ダミー電極用導線と、前記第５方向に沿って直線状に延びる複数の第５方向ダミー電極用導線と、を有するダミー電極用導線網を含み、
前記第４方向ダミー電極用導線の９割以上が、前記第１電極の前記第４方向電極用導線のいずれかの延長線と重なり、
前記第５方向ダミー電極用導線の９割以上が、前記第１電極の前記第５方向電極用導線のいずれかの延長線と重なる、請求項１乃至５のいずれか一項に記載のタッチパネルセンサ。
【請求項７】
前記第４方向及び前記第５方向は、前記第１方向に対して１０°〜４５°の角度を成している、請求項１乃至６のいずれか一項に記載のタッチパネルセンサ。
【請求項８】
第１方向及び前記第１方向に交差する第２方向に並び、各々が第１電極及び第２電極を含む複数のセンサ部と、
前記センサ部の前記第１電極にそれぞれ接続された複数の第１配線と、
前記センサ部の前記第２電極にそれぞれ接続された複数の第２配線と、
前記複数のセンサ部、前記複数の第１配線及び前記複数の第２配線が配置された基材と、を備え、
前記基材は、前記複数のセンサ部が配置された第１領域と、前記第１領域の周辺に位置する第２領域と、に区画され、
前記複数の第１配線及び前記複数の第２配線は、前記第２領域まで延びており、
前記第１電極は、第３方向に延びる複数の第１線状部分を含み、
前記第２電極は、隣り合う２つの前記第１線状部分の間に位置し、前記第３方向に延びる複数の第２線状部分を含み、
前記第１電極及び前記第２電極は、各々、網目状のパターンを有する電極用導線網であって、第４方向に沿って直線状に延びる複数の第４方向電極用導線と、前記第４方向に交差する第５方向に沿って直線状に延びる複数の第５方向電極用導線と、を有する電極用導線網を含み、
前記第２電極の前記第４方向電極用導線の９割以上が、前記第１電極の前記第４方向電極用導線のいずれかの延長線と重なり、
前記第２電極の前記第５方向電極用導線の９割以上が、前記第１電極の前記第５方向電極用導線のいずれかの延長線と重なり、
前記第１配線及び前記第２配線は、各々、網目状のパターンを有する配線用導線網であって、第４方向に沿って直線状に延びる複数の第４方向配線用導線と、前記第５方向に沿って直線状に延びる複数の第５方向配線用導線と、を有する配線用導線網を含み、
前記第１配線及び前記第２配線の前記第４方向配線用導線の９割以上が、前記第１電極の前記第４方向電極用導線のいずれかの延長線と重なり、
前記第１配線及び前記第２配線の前記第５方向配線用導線の９割以上が、前記第１電極の前記第５方向電極用導線のいずれかの延長線と重なる、タッチパネルセンサ。
【請求項９】
前記センサ部は、前記第１電極の前記第１線状部分と前記第２電極の前記第２線状部分との間に位置し、前記第１電極及び前記第２電極のいずれにも接続されていないダミー電極を更に有し、
前記ダミー電極は、網目状のパターンを有するダミー電極用導線網であって、前記第４方向に沿って直線状に延びる複数の第４方向ダミー電極用導線と、前記第５方向に沿って直線状に延びる複数の第５方向ダミー電極用導線と、を有するダミー電極用導線網を含み、
前記第４方向ダミー電極用導線の９割以上が、前記第１電極の前記第４方向電極用導線のいずれかの延長線と重なり、
前記第５方向ダミー電極用導線の９割以上が、前記第１電極の前記第５方向電極用導線のいずれかの延長線と重なる、請求項８に記載のタッチパネルセンサ。
【請求項１０】
前記第４方向及び前記第５方向は、前記第１方向に対して１０°〜８０°の角度を成している、請求項８又は９に記載のタッチパネルセンサ。
【請求項１１】
表示装置と、
前記表示装置の表示面上に配置されたタッチパネルセンサと、を備え、
前記タッチパネルセンサは、
第１方向及び前記第１方向に交差する第２方向に並び、各々が第１電極及び第２電極を含む複数のセンサ部と、
前記センサ部の前記第１電極にそれぞれ接続された複数の第１配線と、
前記センサ部の前記第２電極にそれぞれ接続された複数の第２配線と、
前記複数のセンサ部、前記複数の第１配線及び前記複数の第２配線が配置された基材と、を含み、
前記基材は、前記複数のセンサ部が配置された第１領域と、前記第１領域の周辺に位置する第２領域と、に区画され、
前記複数の第１配線及び前記複数の第２配線は、前記第２領域まで延びており、
前記第１電極は、第３方向に延びる複数の第１線状部分を含み、
前記第２電極は、隣り合う２つの前記第１線状部分の間に位置し、前記第３方向に延びる複数の第２線状部分を含み、
前記第１電極及び前記第２電極は、各々、網目状のパターンを有する電極用導線網であって、第４方向に沿って直線状に延びる複数の第４方向電極用導線と、前記第４方向に交差する第５方向に沿って直線状に延びる複数の第５方向電極用導線と、を有する電極用導線網を含み、
前記電極用導線網によって画成される各開口部の前記第３方向における寸法が、当該開口部の前記第３方向に直交する方向における寸法よりも大きく、
前記第１電極の前記第１線状部分及び前記第２電極の前記第２線状部分の各々において、前記第４方向電極用導線及び前記第５方向電極用導線の交点が、前記第３方向に直交する方向に沿って少なくとも２つ以上並んでいる、タッチ位置検出機能付き表示装置。
【請求項１２】
表示装置と、
前記表示装置の表示面上に配置されたタッチパネルセンサと、を備え、
前記タッチパネルセンサは、
第１方向及び前記第１方向に交差する第２方向に並び、各々が第１電極及び第２電極を含む複数のセンサ部と、
前記センサ部の前記第１電極にそれぞれ接続された複数の第１配線と、
前記センサ部の前記第２電極にそれぞれ接続された複数の第２配線と、
前記複数のセンサ部、前記複数の第１配線及び前記複数の第２配線が配置された基材と、を含み、
前記基材は、前記複数のセンサ部が配置された第１領域と、前記第１領域の周辺に位置する第２領域と、に区画され、
前記複数の第１配線及び前記複数の第２配線は、前記第２領域まで延びており、
前記第１電極は、第３方向に延びる複数の第１線状部分を含み、
前記第２電極は、隣り合う２つの前記第１線状部分の間に位置し、前記第３方向に延びる複数の第２線状部分を含み、
前記第１電極及び前記第２電極は、各々、網目状のパターンを有する電極用導線網であって、第４方向に沿って直線状に延びる複数の第４方向電極用導線と、前記第４方向に交差する第５方向に沿って直線状に延びる複数の第５方向電極用導線と、を有する電極用導線網を含み、
前記第２電極の前記第４方向電極用導線の９割以上が、前記第１電極の前記第４方向電極用導線のいずれかの延長線と重なり、
前記第２電極の前記第５方向電極用導線の９割以上が、前記第１電極の前記第５方向電極用導線のいずれかの延長線と重なり、
前記第１配線及び前記第２配線は、各々、網目状のパターンを有する配線用導線網であって、第４方向に沿って直線状に延びる複数の第４方向配線用導線と、前記第５方向に沿って直線状に延びる複数の第５方向配線用導線と、を有する配線用導線網を含み、
前記第１配線及び前記第２配線の前記第４方向配線用導線の９割以上が、前記第１電極の前記第４方向電極用導線のいずれかの延長線と重なり、
前記第１配線及び前記第２配線の前記第５方向配線用導線の９割以上が、前記第１電極の前記第５方向電極用導線のいずれかの延長線と重なる、タッチ位置検出機能付き表示装置。
【発明の詳細な説明】
【技術分野】
【０００１】
本発明は、外部導体の接近又は接触を検出するためのタッチパネルセンサ及びタッチ位置検出機能付き表示装置に関する。
【背景技術】
【０００２】
今日、液晶ディスプレイや有機ＥＬディスプレイ等の表示装置が組み込まれた種々の装置等（例えば、券売機、ＡＴＭ装置、携帯電話、ゲーム機）に対する入力手段として、タッチパネル装置が広く用いられている。タッチパネル装置は、基材と、基材上に設けられ、指などの外部導体の接近又は接触を検出するセンサ部と、センサ部に接続された配線と、を備えるタッチパネルセンサを含む。タッチパネルセンサの基材は、外部導体が検出され得る領域に対応するアクティブエリアと、アクティブエリアの周辺に位置する非アクティブエリアと、に区画される。タッチパネルセンサが表示装置の表示面に重ねられる場合、アクティブエリアは、表示装置から放出される映像光が適切に透過できるように構成される。
【０００３】
タッチパネルセンサの構造として、基材の片側にセンサ部及び配線を設ける構造が知られている。例えば特許文献１において、タッチパネルセンサは、駆動電極及び検出電極を有し、基材の片側に二次元配列された複数のセンサ部と、駆動電極に接続されたドライブ線と、検出電極に接続されたセンス線と、を備える。この場合、駆動電極と検出電極との間に形成される電気力線が、外部導体の接近又は接触による影響を受けることに基づいて、外部導体の位置を検出することができる。
【先行技術文献】
【特許文献】
【０００４】
【特許文献１】特開２０１４−２０９３４４号公報
【発明の概要】
【発明が解決しようとする課題】
【０００５】
特許文献１に記載のタッチパネルセンサの各センサ部において、駆動電極と検出電極とは、端部においてのみ互いに対向している。この場合、駆動電極と検出電極とによって形成されるコンデンサの静電容量を増加させるためには、駆動電極及び検出電極の端部の長さを増加させる必要がある。しかしながら、駆動電極及び検出電極の端部の長さを増加させると、各センサ部の寸法が増加し、この結果、タッチパネルセンサの分解能が低下してしまう。
【０００６】
本発明は、このような課題を効果的に解決し得るタッチパネルセンサ及びタッチ位置検出機能付き表示装置を提供することを目的とする。
【課題を解決するための手段】
【０００７】
本発明は、第１方向及び前記第１方向に交差する第２方向に並び、各々が第１電極及び第２電極を含む複数のセンサ部と、前記センサ部の前記第１電極にそれぞれ接続された複数の第１配線と、前記センサ部の前記第２電極にそれぞれ接続された複数の第２配線と、前記複数のセンサ部、前記複数の第１配線及び前記複数の第２配線が配置された基材と、を備え、前記基材は、前記複数のセンサ部が配置された第１領域と、前記第１領域の周辺に位置する第２領域と、に区画され、前記複数の第１配線及び前記複数の第２配線は、前記第２領域まで延びており、前記第１電極は、第３方向に延びる複数の第１線状部分を含み、前記第２電極は、隣り合う２つの前記第１線状部分の間に位置し、前記第３方向に延びる複数の第２線状部分を含み、前記第１電極及び前記第２電極は、各々、網目状のパターンを有する電極用導線網であって、第４方向に沿って直線状に延びる複数の第４方向電極用導線と、前記第４方向に交差する第５方向に沿って直線状に延びる複数の第５方向電極用導線と、を有する電極用導線網を含み、前記電極用導線網によって画成される各開口部の前記第３方向における寸法が、当該開口部の前記第３方向に直交する方向における寸法よりも大きく、前記第１電極の前記第１線状部分及び前記第２電極の前記第２線状部分の各々において、前記第４方向電極用導線及び前記第５方向電極用導線の交点が、前記第３方向に直交する方向に沿って少なくとも２つ以上並んでいる、タッチパネルセンサである。
【０００８】
本発明によるタッチパネルセンサにおいて、好ましくは、前記第２電極の前記第４方向電極用導線の９割以上が、前記第１電極の前記第４方向電極用導線のいずれかの延長線と重なり、前記第２電極の前記第５方向電極用導線の９割以上が、前記第１電極の前記第５方向電極用導線のいずれかの延長線と重なる。
【０００９】
本発明によるタッチパネルセンサにおいて、好ましくは、前記複数の第１配線のうち前記第１方向に並ぶ複数のセンサ部の第１電極に接続された複数の第１配線が、前記第１領域において、前記第１方向に延び、且つ前記第２方向に並んでおり、前記第１配線は、各々、網目状のパターンを有する第１配線用導線網であって、第４方向に沿って直線状に延びる複数の第４方向第１配線用導線と、前記第５方向に沿って直線状に延びる複数の第５方向第１配線用導線と、を有する第１配線用導線網を含み、第１配線用導線網によって画成される各開口部の前記第１方向における寸法が、当該開口部の前記第１方向に直交する方向における寸法よりも大きく、前記複数の第１配線の各々において、前記第４方向第１配線用導線及び前記第５方向第１配線用導線の交点が、前記第１方向に直交する方向に沿って少なくとも２つ以上並んでいる。
【００１０】
本発明によるタッチパネルセンサにおいて、好ましくは、前記複数の第２配線は、各々、網目状のパターンを有する第２配線用導線網であって、前記第４方向に沿って直線状に延びる複数の第４方向第２配線用導線と、前記第５方向に沿って直線状に延びる複数の第５方向第２配線用導線と、を有する第２配線用導線網を含み、前記第４方向第１配線用導線及び前記第４方向第２配線用導線の９割以上が、前記第１電極の前記第４方向電極用導線のいずれかの延長線と重なり、前記第５方向第１配線用導線及び前記第５方向第２配線用導線の９割以上が、前記第１電極の前記第５方向電極用導線のいずれかの延長線と重なる。
【００１１】
本発明によるタッチパネルセンサにおいて、前記第１線状部分が延びる前記第３方向が、前記第１配線が延びる前記第１方向に対して成す角度が、−１０°〜１０°であってもよい。
【００１２】
本発明によるタッチパネルセンサにおいて、前記センサ部は、前記第１電極の前記第１線状部分と前記第２電極の前記第２線状部分との間に位置し、前記第１電極及び前記第２電極のいずれにも接続されていないダミー電極を更に有し、前記ダミー電極は、網目状のパターンを有するダミー電極用導線網であって、前記第４方向に沿って直線状に延びる複数の第４方向ダミー電極用導線と、前記第５方向に沿って直線状に延びる複数の第５方向ダミー電極用導線と、を有するダミー電極用導線網を含み、前記第４方向ダミー電極用導線の９割以上が、前記第１電極の前記第４方向電極用導線のいずれかの延長線と重なり、前記第５方向ダミー電極用導線の９割以上が、前記第１電極の前記第５方向電極用導線のいずれかの延長線と重なっていてもよい。
【００１３】
本発明によるタッチパネルセンサにおいて、前記第４方向及び前記第５方向は、前記第１方向に対して１０°〜４５°の角度を成していてもよい。
【００１４】
また、本発明は、第１方向及び前記第１方向に交差する第２方向に並び、各々が第１電極及び第２電極を含む複数のセンサ部と、前記センサ部の前記第１電極にそれぞれ接続された複数の第１配線と、前記センサ部の前記第２電極にそれぞれ接続された複数の第２配線と、前記複数のセンサ部、前記複数の第１配線及び前記複数の第２配線が配置された基材と、を備え、前記基材は、前記複数のセンサ部が配置された第１領域と、前記第１領域の周辺に位置する第２領域と、に区画され、前記複数の第１配線及び前記複数の第２配線は、前記第２領域まで延びており、前記第１電極は、第３方向に延びる複数の第１線状部分を含み、前記第２電極は、隣り合う２つの前記第１線状部分の間に位置し、前記第３方向に延びる複数の第２線状部分を含み、前記第１電極及び前記第２電極は、各々、網目状のパターンを有する電極用導線網であって、第４方向に沿って直線状に延びる複数の第４方向電極用導線と、前記第４方向に交差する第５方向に沿って直線状に延びる複数の第５方向電極用導線と、を有する電極用導線網を含み、前記第２電極の前記第４方向電極用導線の９割以上が、前記第１電極の前記第４方向電極用導線のいずれかの延長線と重なり、前記第２電極の前記第５方向電極用導線の９割以上が、前記第１電極の前記第５方向電極用導線のいずれかの延長線と重なり、前記第１配線及び前記第２配線は、各々、網目状のパターンを有する配線用導線網であって、第４方向に沿って直線状に延びる複数の第４方向配線用導線と、前記第５方向に沿って直線状に延びる複数の第５方向配線用導線と、を有する配線用導線網を含み、前記第１配線及び前記第２配線の前記第４方向配線用導線の９割以上が、前記第１電極の前記第４方向電極用導線のいずれかの延長線と重なり、前記第１配線及び前記第２配線の前記第５方向配線用導線の９割以上が、前記第１電極の前記第５方向電極用導線のいずれかの延長線と重なる、タッチパネルセンサである。
【００１５】
本発明によるタッチパネルセンサにおいて、前記センサ部は、前記第１電極の前記第１線状部分と前記第２電極の前記第２線状部分との間に位置し、前記第１電極及び前記第２電極のいずれにも接続されていないダミー電極を更に有し、前記ダミー電極は、網目状のパターンを有するダミー電極用導線網であって、前記第４方向に沿って直線状に延びる複数の第４方向ダミー電極用導線と、前記第５方向に沿って直線状に延びる複数の第５方向ダミー電極用導線と、を有するダミー電極用導線網を含み、前記第４方向ダミー電極用導線の９割以上が、前記第１電極の前記第４方向電極用導線のいずれかの延長線と重なり、前記第５方向ダミー電極用導線の９割以上が、前記第１電極の前記第５方向電極用導線のいずれかの延長線と重なっていてもよい。
【００１６】
本発明によるタッチパネルセンサにおいて、前記第４方向及び前記第５方向は、前記第１方向に対して１０°〜８０°の角度を成していてもよい。
【００１７】
また、本発明は、表示装置と、前記表示装置の表示面上に配置されたタッチパネルセンサと、を備え、前記タッチパネルセンサは、第１方向及び前記第１方向に交差する第２方向に並び、各々が第１電極及び第２電極を含む複数のセンサ部と、前記センサ部の前記第１電極にそれぞれ接続された複数の第１配線と、前記センサ部の前記第２電極にそれぞれ接続された複数の第２配線と、前記複数のセンサ部、前記複数の第１配線及び前記複数の第２配線が配置された基材と、を含み、前記基材は、前記複数のセンサ部が配置された第１領域と、前記第１領域の周辺に位置する第２領域と、に区画され、前記複数の第１配線及び前記複数の第２配線は、前記第２領域まで延びており、前記第１電極は、第３方向に延びる複数の第１線状部分を含み、前記第２電極は、隣り合う２つの前記第１線状部分の間に位置し、前記第３方向に延びる複数の第２線状部分を含み、前記第１電極及び前記第２電極は、各々、網目状のパターンを有する電極用導線網であって、第４方向に沿って直線状に延びる複数の第４方向電極用導線と、前記第４方向に交差する第５方向に沿って直線状に延びる複数の第５方向電極用導線と、を有する電極用導線網を含み、前記電極用導線網によって画成される各開口部の前記第３方向における寸法が、当該開口部の前記第３方向に直交する方向における寸法よりも大きく、前記第１電極の前記第１線状部分及び前記第２電極の前記第２線状部分の各々において、前記第４方向電極用導線及び前記第５方向電極用導線の交点が、前記第３方向に直交する方向に沿って少なくとも２つ以上並んでいる、タッチ位置検出機能付き表示装置である。
【００１８】
また、本発明は、表示装置と、前記表示装置の表示面上に配置されたタッチパネルセンサと、を備え、前記タッチパネルセンサは、第１方向及び前記第１方向に交差する第２方向に並び、各々が第１電極及び第２電極を含む複数のセンサ部と、前記センサ部の前記第１電極にそれぞれ接続された複数の第１配線と、前記センサ部の前記第２電極にそれぞれ接続された複数の第２配線と、前記複数のセンサ部、前記複数の第１配線及び前記複数の第２配線が配置された基材と、を含み、前記基材は、前記複数のセンサ部が配置された第１領域と、前記第１領域の周辺に位置する第２領域と、に区画され、前記複数の第１配線及び前記複数の第２配線は、前記第２領域まで延びており、前記第１電極は、第３方向に延びる複数の第１線状部分を含み、前記第２電極は、隣り合う２つの前記第１線状部分の間に位置し、前記第３方向に延びる複数の第２線状部分を含み、前記第１電極及び前記第２電極は、各々、網目状のパターンを有する電極用導線網であって、第４方向に沿って直線状に延びる複数の第４方向電極用導線と、前記第４方向に交差する第５方向に沿って直線状に延びる複数の第５方向電極用導線と、を有する電極用導線網を含み、前記第２電極の前記第４方向電極用導線の９割以上が、前記第１電極の前記第４方向電極用導線のいずれかの延長線と重なり、前記第２電極の前記第５方向電極用導線の９割以上が、前記第１電極の前記第５方向電極用導線のいずれかの延長線と重なり、前記第１配線及び前記第２配線は、各々、網目状のパターンを有する配線用導線網であって、第４方向に沿って直線状に延びる複数の第４方向配線用導線と、前記第５方向に沿って直線状に延びる複数の第５方向配線用導線と、を有する配線用導線網を含み、前記第１配線及び前記第２配線の前記第４方向配線用導線の９割以上が、前記第１電極の前記第４方向電極用導線のいずれかの延長線と重なり、前記第１配線及び前記第２配線の前記第５方向配線用導線の９割以上が、前記第１電極の前記第５方向電極用導線のいずれかの延長線と重なる、タッチ位置検出機能付き表示装置。
【発明の効果】
【００１９】
本発明によれば、各センサ部において形成されるコンデンサの容量を効果的に増加させることができる。
【図面の簡単な説明】
【００２０】
【図１】タッチ位置検出機能付き表示装置を示す展開図である。
【図２】タッチパネルセンサ全体を示す平面図である。
【図３】タッチパネルセンサの一部を拡大して示す平面図である。
【図４】図３に示すタッチパネルセンサの１つのセンサ部並びに当該センサ部に接続された第１配線及び第２配線を拡大して示す平面図である。
【図５】図４に示すセンサ部及び第１配線の一部を拡大して示す平面図である。
【図６】タッチパネルセンサの断面構造の一例を示す図である。
【図７】第２の実施の形態において、ダッチパネルセンサの一部を拡大して示す平面図である。
【図８】図７に示すセンサ部の一部を拡大して示す平面図である。
【図９】ダミー電極が存在しない場合のセンサ部の一例を示す断面図である。
【図１０】ダミー電極が存在する場合のセンサ部の一例を示す断面図である。
【図１１】第３の実施の形態において、ダッチパネルセンサの一部を拡大して示す平面図である。
【図１２】第４の実施の形態において、ダッチパネルセンサの一部を拡大して示す平面図である。
【図１３】第５の実施の形態において、ダッチパネルセンサの一部を拡大して示す平面図である。
【発明を実施するための形態】
【００２１】
〔第１の実施の形態〕
以下、図１乃至図６を参照して、本発明の第１の実施の形態について説明する。なお、本明細書に添付する図面においては、図示と理解のしやすさの便宜上、適宜縮尺および縦横の寸法比等を、実物のそれらから変更し誇張してある。
【００２２】
はじめに図１を参照して、タッチ位置検出機能付き表示装置１０について説明する。図１に示すように、タッチ位置検出機能付き表示装置１０は、液晶ディスプレイや有機ＥＬディスプレイなどの表示装置１５と、表示装置１５の観察者側に配置されたタッチパネルセンサ２０と、を組み合わせることによって構成されている。表示装置１５は、表示面１６ａを有する表示パネル１６と、表示パネル１６に接続された表示制御部（図示せず）と、を有している。表示パネル１６は、映像を表示することができるアクティブエリアＡ１と、アクティブエリアＡ１を取り囲むようにしてアクティブエリアＡ１の外側に配置された非アクティブエリア（額縁領域とも呼ばれる）Ａ２と、を含んでいる。表示制御部は、表示されるべき映像に関する情報を処理し、映像情報に基づいて表示パネル１６を駆動する。表示パネル１６は、表示制御部の制御信号に基づいて、所定の映像を表示面１６ａに表示する。すなわち、表示装置１５は、文字や図等の情報を映像として出力する出力装置としての役割を担っている。
【００２３】
タッチパネルセンサ２０は、表示装置１５の表示面１６ａに、例えば接着層（図示せず）を介して接着されている。なお図示はしないが、タッチパネルセンサ２０の観察者側には、タッチパネルセンサ２０や表示装置１５を保護するための保護カバーが設けられていてもよい。
【００２４】
タッチパネルセンサ
次に図１及び図２を参照して、タッチパネルセンサ２０について説明する。図２は、表示装置１５側から見た場合のタッチパネルセンサ２０を示す平面図である。タッチパネルセンサ２０は、相互容量方式のタッチパネルセンサとして構成されている。
【００２５】
図１及び図２に示すように、タッチパネルセンサ２０は、表示装置１５側の第１面２２ａ及び観察者側の第２面２２ｂを含む、矩形状の基材２２を備える。基材２２は、外部導体の位置が検出され得る領域に対応する矩形状の第１領域Ａａ１と、第１領域Ａａ１の周辺に位置する矩形枠状の第２領域Ａａ２と、を含んでいる。また、図２に示すように、タッチパネルセンサ２０は、複数のセンサ部２４、複数の第１配線２６及び複数の第２配線２８を備える。センサ部２４、第１配線２６の一部及び第２配線２８の一部は、基材２２の第１領域Ａａ１に配置されており、第１配線２６のその他の部分及び第２配線２８のその他の部分は、基材２２の第２領域Ａａ２に配置されている。また、センサ部２４、第１配線２６及び第２配線２８はいずれも、基材２２の同一の面に設けられている。例えば、センサ部２４、第１配線２６及び第２配線２８はいずれも、基材２２の第１面２２ａに設けられている。また、センサ部２４、第１配線２６及び第２配線２８はいずれも、基材２２の第２面２２ｂに設けられていてもよい。
【００２６】
（基材）
基材２２を構成する材料としては、例えば、ポリエチレンテレフタレート（ＰＥＴ）、シクロオレフィンポリマー（ＣＯＰ）などの有機材料や、ガラスなどの無機材料など、十分な透光性を有する材料が用いられる。基材２２が例えばＰＥＴなどの有機材料を含む場合、基材２２の厚みは例えば３０μｍ以上且つ２００μｍ以下であり、好ましくは３０μｍ以上且つ１００μｍ以下である。なお、センサ部２４、第１配線２６及び第２配線２８を適切に保持することができる限りにおいて、基材２２の具体的な構成が特に限られることはない。例えば、基材２２は、ＰＥＴフィルムの表面に設けられたハードコート層を更に含んでいてもよい。
【００２７】
（センサ部）
図２に示すように、複数のセンサ部２４は、基材２２の第１面２２ａ上に二次元配列されている。例えば、複数のセンサ部２４は、第１方向Ｄ１及び第１方向Ｄ１に交差する第２方向Ｄ２に沿って並んでいる。図２に示す例において、第２方向Ｄ２は第１方向Ｄ１に直交している。以下の説明において、第１方向Ｄ１においてｍ番目に位置し、且つ第２方向Ｄ２においてｎ番目に位置するセンサ部２４のことを、センサ部２４＿ｍｎとも称する。ｍ及びｎは任意の正の整数である。
【００２８】
図３は、図２に示すタッチパネルセンサ２０の複数のセンサ部２４の一部を、例えばセンサ部２４＿３１、センサ部２４＿４１、センサ部２４＿３２及びセンサ部２４＿４２を拡大して示す平面図である。センサ部２４は、互いに対向する第１電極３０及び第２電極４０を有する。第１電極３０及び第２電極４０の一方は、信号電圧が印加される駆動電極として機能し、他方は、検出電極として機能する。例えば、第１電極３０が駆動電極である場合、第２電極４０が検出電極として機能する。この場合、第２電極４０には、第１電極３０と第２電極４０との間に形成されるコンデンサを介した容量結合によって、第１電極３０からの信号電圧が伝達される。
【００２９】
第１電極３０は、複数の第１線状部分３１と、複数の第１線状部分３１に接続された第１接続部分３２と、を含む。複数の第１線状部分３１は、第３方向Ｄ３に延び、且つ第３方向Ｄ３に交差する第６方向Ｄ６に並んでいる。図３に示す例において、第６方向Ｄ６は第３方向Ｄ３に直交している。また、第３方向Ｄ３は上述の第１方向Ｄ１に平行である。言い換えると、第３方向Ｄ３は上述の第２方向Ｄ２に直行している。また、第６方向Ｄ６は上述の第２方向Ｄ２に平行である。各第１線状部分３１は、第３方向Ｄ３に延びる一対の側部３１１を含んでいる。また、第１接続部分３２は、第６方向Ｄ６に延びている。第１接続部分３２は、第６方向Ｄ６に延びる一対の側部３２１を含んでいる。
【００３０】
第１電極３０と同様に、第２電極４０も、複数の第２線状部分４１と、複数の第２線状部分４１に接続された第２接続部分４２と、を含む。複数の第２線状部分４１は、第３方向Ｄ３に延び、且つ第３方向Ｄ３に交差する第６方向Ｄ６に並んでいる。各第２線状部分４１は、第３方向Ｄ３に延びる一対の側部４１１を含んでいる。また、第２線状部分４１は、隣り合う２つの第１線状部分３１の間に位置している。例えば、第１線状部分３１及び第２線状部分４１は、第６方向Ｄ６に沿って交互に並んでいる。図３に示す例においては、同数の第１線状部分３１及び第２線状部分４１が交互に並んでいる。また、第２接続部分４２は、第６方向Ｄ６に延びている。第２接続部分４２は、第６方向Ｄ６に延びる一対の側部４２１を含んでいる。
【００３１】
図３に示すように、各第１線状部分３１の側部３１１は、各第２線状部分４１の側部４１１に対向している。この場合、第１線状部分３１の側部３１１と第２線状部分４１の側部４１１との間には、側部３１１及び側部４１１の対向部分の長さに比例した静電容量を有するコンデンサが形成される。従って、第１電極３０と第２電極４０との間には、第１線状部分３１及び第２線状部分４１の数、並びに側部３１１及び側部４１１の対向部分の長さに比例した静電容量を有するコンデンサが形成される。このため、上述の特許文献１のように駆動電極及び検出電極の端部でのみ互いに対向する場合に比べて、静電容量を増加させることができる。このことにより、センサ部２４の検出感度を高めることができる。
【００３２】
（第１配線）
次に、第１配線２６について説明する。図２及び図３に示すように、複数の第１配線２６はそれぞれ、第１方向Ｄ１に並ぶ複数のセンサ部２４のうちの対応する１つのセンサ部２４の第１電極３０に接続されている。第１配線２６は、接続部分２６１及び線状部分２６２を含む。接続部分２６１は、対応する第１電極３０の第１接続部分３２に、第６方向Ｄ６の一方の側（図３の例では左側）において接続されている。線状部分２６２は、接続部分２６１から第２領域Ａａ２まで延びている。接続部分２６１及び線状部分２６２はいずれも、複数のセンサ部２４が並ぶ第１方向Ｄ１に延びている。
【００３３】
第１方向Ｄ１において隣り合う２つのセンサ部２４のうちの一方のセンサ部２４の第１電極３０に接続された第１配線２６の接続部分２６１の、第２方向Ｄ２における幅は、他方のセンサ部２４の第１電極３０に接続された第１配線２６の接続部分２６１の、第２方向Ｄ２における幅と異なっていてもよい。例えば、図３に示すように、センサ部２４＿３１の第１電極３０に接続された接続部分２６１の、第２方向Ｄ２における幅が、センサ部２４＿４１の第１電極３０に接続された接続部分２６１の、第２方向Ｄ２における幅よりも大きくなっていてもよい。以下、このように構成する理由について説明する。
【００３４】
図２に示すように、第１方向Ｄ１に並ぶ複数のセンサ部２４に接続された第１配線２６の複数の線状部分２６２は、第２方向Ｄ２に並んでいる。この場合、第２方向Ｄ２に並ぶ線状部分２６２の数は、図２における下側の第２領域Ａａ２（線状部分２６２が向かう方向に位置する第２領域Ａａ２）に近づくにつれて増加する。ここで本実施の形態においては、図２に示すように、第１方向Ｄ１における第２領域Ａａ２までの距離が大きい接続部分２６１ほど、第２方向Ｄ２における幅を大きくしている。これによって、図２に示すように、第１配線２６が第２方向Ｄ２において占める領域の幅を、第１方向Ｄ１における位置に依らず一定にすることができる。このため、第２方向Ｄ２におけるセンサ部２４の幅を、第１方向Ｄ１における位置に依らず一定にすることができるので、センサ部２４の感度が第１方向Ｄ１における位置によって相違することを抑制することができる。
【００３５】
（第２配線）
次に、第２配線２８について説明する。図２及び図３に示すように、複数の第２配線２８はそれぞれ、対応する第２電極４０の第２接続部分４２に、第６方向Ｄ６の一方の側（図２及び図３の例では右側）において接続されている。第２配線２８は、第６方向Ｄ６においてセンサ部２４を介して第１配線２６の接続部分２６１に対向している。また、第２配線２８は、複数のセンサ部２４が並ぶ第１方向Ｄ１に沿って第２領域Ａａ２まで延びている。
【００３６】
図２及び図３に示すように、１本の第２配線２８が、第１方向Ｄ１に並ぶ複数のセンサ部２４の第２電極４０に接続されていてもよい。これによって、第１領域Ａａ１に配置される第２配線２８の本数を削減することができる。
【００３７】
以下、第１電極３０、第２電極４０、第１配線２６及び第２配線２８の構成について詳細に説明する。図４は、タッチパネルセンサ２０の１つのセンサ部２４、例えばセンサ部２４＿３２と、センサ部２４＿３２の近傍に位置する第１配線２６及び第２配線２８とを拡大して示す図である。また、図５は、図４に示すセンサ部２４＿３２及び第１配線２６の一部を拡大して示す平面図である。図４及び図５に示すように、第１電極３０及び第２電極４０はそれぞれ、網目状のパターンを有する電極用導線網６１を含む。図５に示すように、電極用導線網６１は、第４方向Ｄ４に沿って直線状に延びる複数の第４方向電極用導線６１４ａ，６１４ｂと、第４方向Ｄ４に交差する第５方向Ｄ５に沿って直線状に延びる複数の第５方向電極用導線６１５ａ，６１５ｂと、を有する。
【００３８】
第１配線２６及び第２配線２８は、それぞれ、網目状のパターンを有する配線用導線網８１を含む。図４に示すように、第１配線２６の配線用導線網８１は、第４方向Ｄ４に沿って直線状に延びる複数の第４方向第１配線用導線８１４ａと、第４方向Ｄ４に交差する第５方向Ｄ５に沿って直線状に延びる複数の第５方向第１配線用導線８１５ａと、を有する。また、第２配線２８の配線用導線網８１は、第４方向Ｄ４に沿って直線状に延びる複数の第４方向第２配線用導線８１４ｂと、第４方向Ｄ４に交差する第５方向Ｄ５に沿って直線状に延びる複数の第５方向第２配線用導線８１５ｂと、を有する。
【００３９】
図５に示す例において、第４方向Ｄ４及び第５方向Ｄ５はそれぞれ、第１方向Ｄ１に対して所定の角度、例えば４５°を成している。この場合、電極用導線網６１の各導線６１４ａ，６１５ａ，６１４ｂ，６１５ｂの間に正方形状の開口部６２が画成される。また、配線用導線網８１の各導線８１４ａ，８１５ａ，８１４ｂ，８１５ｂの間に正方形状の開口部８２が画成される。開口部６２，８２の寸法は、第１領域Ａａ１の面積のうち開口部６２，８２によって占められる面積の比率（以下、開口率と称する）が十分に高くなり、これによって、表示装置１５からの映像光が適切な透過率で第１領域Ａａ１を透過することができるよう、設定されている。なお、導線６１４ａ，６１４ｂ，６１５ａ，６１５ｂ，８１４ａ，８１５ａ，８１４ｂ，８１５ｂが延びる方向や開口部６２，８２の形状は、特には限定されない。
【００４０】
図４及び図５に示すように、第１線状部分３１と第２線状部分４１との間には、第１線状部分３１と第２線状部分４１とを電気的に分離するための第１隙間Ｓ１が形成されている。第１隙間Ｓ１は、第１線状部分３１及び第２線状部分４１に沿って第３方向Ｄ３に延びている。また、第１線状部分３１と第２配線２８との間、及び第２線状部分４１と第１配線２６との間にも、電気的な分離のための第２隙間Ｓ２が形成されている。また、複数の第１配線２６の間、及び、第２配線２８と第１配線２６との間にも、電気的な分離のための第３隙間Ｓ３が形成されている。第２隙間Ｓ２及び第３隙間Ｓ３は、第１配線２６又は第２配線２８に沿って第１方向Ｄ１に延びている。
【００４１】
図５において、符号ａは、第１隙間Ｓ１の幅、第２隙間Ｓ２の幅及び第３隙間Ｓ３の幅を表す。隙間Ｓ１、Ｓ２、Ｓ３が目立つことを抑制するためには、幅ａが小さいことが好ましい。幅ａは、例えば５μｍ以上且つ７０μｍ以下である。
【００４２】
図５に示す例においては、第２電極４０の第４方向電極用導線６１４ｂは、その９割以上が、第１電極３０の第４方向電極用導線６１４ａのいずれかの延長線Ｌ４と重なるように配置されている。また、第２電極４０の第５方向電極用導線６１５ｂは、その９割以上が、第１電極３０の第５方向電極用導線６１５ａのいずれかの延長線Ｌ５と重なるように配置されている。例えば、隙間Ｓ１は、直線状に延びる１本の導線６１４ａ，６１４ｂあるいは導線６１５ａ，６１５ｂのうち隙間Ｓ１となるべき領域に位置する部分（図５に延長線Ｌ４，Ｌ５として示す部分）を、分断部として除去することによって、構成されている。これによって、隙間Ｓ１が目立つことを抑制することができる。
【００４３】
同様に、第１配線２６及び第２配線２８は、その第４方向配線用導線８１４ａ，８１４ｂの９割以上が、第１電極３０の前記第４方向電極用導線６１４ａのいずれかの延長線Ｌ４と重なるように配置されている。また、第１配線２６及び第２配線２８は、その第５方向配線用導線８１５ａ，８１５ｂの９割以上が、第１電極３０の前記第５方向電極用導線６１５ａのいずれかの延長線Ｌ５と重なるように配置されている。例えば、隙間Ｓ２、Ｓ３は、直線状に延びる１本の導線６１４ａ，８１４ａ，８１４ｂあるいは導線６１５ａ，８１５ａ，８１５ｂのうち隙間Ｓ２、Ｓ３となるべき領域に位置する部分（図５に延長線Ｌ４，Ｌ５として示す部分）を、分断部として除去することによって、構成されている。これによって、隙間Ｓ２、Ｓ３が目立つことを抑制することができる。
【００４４】
図４及び図５において、一点鎖線は、第１線状部分３１などのタッチ位置検出機能付き表示装置１０の構成要素の輪郭を示すために仮想的に描いた線である。各構成要素の輪郭は、導線６１４ａ，６１４ｂ，６１５ａ，６１５ｂ，８１４ａ，８１４ｂ，８１５ａ，８１５ｂの端部を連結した線によって画定される。例えば図５に示すように、第１線状部分３１の側部３１１の輪郭は、第３方向Ｄ３に沿って並ぶ複数の導線６１４ａ，６１５ａの端部を連結した線によって画定される。
【００４５】
第３方向Ｄ３に延びる第１線状部分３１及び第２線状部分４１において、好ましくは、電極用導線網６１の導線６１４ａ，６１５ａ，６１５ｂ，６１５ｂ同士が交わる交点６１ａが、第３方向Ｄ３に直交する方向（ここでは第６方向Ｄ６）に沿って少なくとも２つ以上並んでいる。この場合、仮に製造時のエッチング不良などによって１個の交点６１ａが除去されてしまった場合であっても、第１線状部分３１及び第２線状部分４１に少なくとも１個の交点６１ａを残すことができる。従って、残っている少なくとも１個の交点６１ａを利用して、第３方向Ｄ３に沿って第１線状部分３１及び第２線状部分４１に信号を与えることができる。これによって、第１線状部分３１及び第２線状部分４１が断線してしまう可能性を低減することができる。
【００４６】
同様に、第１方向Ｄ１に延びる第１配線２６及び第２配線２８において、好ましくは、導線８１４ａ，８１５ａ，８１４ｂ，８１５ｂ同士が交わる交点８１ａが、第１方向Ｄ１に直交する方向（ここでは第２方向Ｄ２）に沿って少なくとも２つ以上並んでいる。これによって、第１配線２６及び第２配線２８が断線してしまう可能性を低減することができる。
【００４７】
図６は、タッチパネルセンサ２０の断面構造の一例を示す図である。図６に示すように、導線網６１，８１は、基材２２の第１面２２ａ上に設けられた金属層６４，８４を含んでいる。金属層６４，８４は、例えば、銀、銅、アルミニウムまたはこれらの合金等を含んでいる。金属層６４，８４の幅は、求められる開口率などに応じて設定されるが、例えば１μｍ以上且つ１０μｍ以下である。金属層６４，８４の厚みは、第１電極３０及び第２電極４０に対して求められる電気抵抗値などに応じて適宜設定されるが、例えば０．１μｍ以上且つ５．０μｍ以下である。図６に示す金属層６４，８４は、例えば、基材２２の第１面２２ａ上に全域にわたって設けられた金属層をエッチングなどによってパターニングすることによって得られる。
【００４８】
なお、図示はしないが、導線網６１，８１には、導線網６１，８１による光の反射を抑制するための低反射処理が施されていてもよい。例えば、金属層６４，８４の表面には黒化処理が施されていてもよい。また、導線網６１，８１は、金属層６４，８４と基材２２の第１面２２ａとの間に位置する低反射層を更に含んでいてもよい。
【００４９】
（本実施の形態の効果）
本実施の形態によれば、上述のように、センサ部２４の第１電極３０及び第２電極４０がそれぞれ、互いに対向する複数の第１線状部分３１及び第２線状部分４１を含む。このため、第１電極３０と第２電極４０との間に、第１線状部分３１及び第２線状部分４１の数に比例した静電容量を有するコンデンサを形成することができる。このため、センサ部２４の静電容量を増加させることができ、このことにより、センサ部２４の検出感度を高めることができる。
【００５０】
本実施の形態においては、第１電極３０及び第２電極の電極用導線網６１は、第４方向Ｄ４に沿って直線状に延びる複数の第４方向電極用導線６１４ａ，６１４ｂと、第４方向Ｄ４に交差する第５方向Ｄ５に沿って直線状に延びる複数の第５方向電極用導線６１５ａ，６１５ｂと、を有している。そして、第２電極４０の第４方向電極用導線６１４ｂの９割以上が、第１電極３０の第４方向電極用導線６１４ａのいずれかの延長線Ｌ４と重なる。また。第２電極４０の第５方向電極用導線６１５ｂの９割以上が、第１電極３０の第５方向電極用導線６１５ａのいずれかの延長線Ｌ５と重なる。このことにより、第１電極３０と第２電極４０との間の隙間Ｓ１が目立つことを抑制することができる。
【００５１】
また、本実施の形態においては、第１配線２６及び第２配線２８は、各々、網目状のパターンを有する配線用導線網８１であって、第４方向Ｄ４に沿って直線状に延びる複数の第４方向配線用導線８１４ａ，８１４ｂと、第５方向Ｄ５に沿って直線状に延びる複数の第５方向配線用導線８１５ａ，８１５ｂと、を有している。そして、第１配線２６及び第２配線２８の第４方向配線用導線８１４ａ，８１４ｂの９割以上が、第１電極３０の第４方向電極用導線６１４ａのいずれかの延長線Ｌ４と重なる。また、第１配線２６及び第２配線２８の第５方向配線用導線８１５ａ，８１５ｂの９割以上が、第１電極３０の第５方向電極用導線６１５ａのいずれかの延長線Ｌ５と重なる。このことにより、第１電極３０及び第２電極４０と、第１配線２６及び第２配線２８と、の間の隙間Ｓ２、並びに、第１配線２６と第２配線２８との間の隙間Ｓ３、が目立つことを抑制することができる。
【００５２】
また本実施の形態においては、第１電極３０の第１線状部分３１及び第２電極４０の第２線状部分４１の各々において、第４方向電極用導線６１４ａ，６１４ｂ及び第５方向電極用導線６１５ａ，６１５ｂの交点６１ａが、第１線状部分３１及び第２電極４０の第２線状部分４１が延びる第３方向Ｄ３に直交する方向に沿って少なくとも２つ以上並んでいる。これによって、仮に製造時のエッチング不良などによって１個の交点６１ａが除去されてしまった場合であっても、第１線状部分３１及び第２線状部分４１に少なくとも１個の交点６１ａを残すことができる。従って、残っている少なくとも１個の交点６１ａを利用して、第３方向Ｄ３に沿って第１線状部分３１及び第２線状部分４１に信号を与えることができる。これによって、第１線状部分３１及び第２線状部分４１が断線してしまう可能性を低減することができる。
【００５３】
また本実施の形態においては、第１領域Ａａ１において第１方向Ｄ１に延び、且つ第２方向Ｄ２に並ぶ複数の第１配線２６の各々において、第４方向配線用導線８１４ａ及び第５方向電極用導線８１５ａの交点８１ａが、第１配線２６が延びる第１方向Ｄ１に直交する方向に沿って少なくとも２つ以上並んでいる。これによって、仮に製造時のエッチング不良などによって１個の交点８１ａが除去されてしまった場合であっても、第１配線２６に少なくとも１個の交点８１ａを残すことができる。従って、残っている少なくとも１個の交点８１ａを利用して、第１方向Ｄ１に沿って第１配線２６に信号を与えることができる。これによって、第１配線２６が断線してしまう可能性を低減することができる。
【００５４】
〔第２の実施の形態〕
以下、図７乃至図１０を参照して、第２の実施の形態について説明する。第２の実施の形態は、センサ部２４がダミー電極５０を更に有する点が異なるのみであり、他の構成は第１の実施の形態と略同一である。第２の実施の形態において、第１の実施の形態と同一部分には同一符号を付して詳細な説明は省略する。また、第１の実施の形態において得られる作用効果が本実施の形態においても得られることが明らかである場合、その説明を省略することもある。
【００５５】
図７は、本実施例に係るタッチパネルセンサ２０の一部を拡大して示す平面図である。図７に示すように、センサ部２４は、第１電極３０及び第２電極４０のいずれにも接続されていないダミー電極５０を更に有する。
【００５６】
図８は、図７のセンサ部２４及び第１配線２６を更に拡大して示す平面図である。図７及び図８に示すように、ダミー電極５０は、第１線状部分３１と第２線状部分４１との間に位置する。
【００５７】
図７及び図８に示すように、本変形例においては、センサ部２４において第３方向Ｄ３に延びる第１隙間Ｓ１が、第１線状部分３１とダミー電極５０との間、及び第２線状部分４１とダミー電極５０との間に形成される。図８において、符号ｄは、第６方向Ｄ６における第１線状部分３１の側部３１１と第２線状部分４１の側部４１１との間の間隔を表す。本実施の形態によれば、ダミー電極５０を設けることにより、第１線状部分３１と第２線状部分４１との間の間隔ｄを拡大することができる。
【００５８】
図９及び図１０は、第１線状部分３１と第２線状部分４１との間の間隔ｄを拡大することによって実現される効果を説明するための図である。図９は、ダミー電極５０が存在しない場合のセンサ部２４の一例を示す断面図であり、図１０は、ダミー電極５０が存在する場合のセンサ部２４の一例を示す断面図である。
【００５９】
図９及び図１０において、符号７１は、第１線状部分３１と第２線状部分４１との間に形成される電気力線を表す。電気力線７１は、第１線状部分３１と第２線状部分４１との間の間隔ｄが大きいほど、広域にわたって広がる。電気力線７１が広がる範囲が大きいほど、センサ部２４が外部導体７２を検出可能な範囲も広くなる。例えば、センサ部２４が外部導体７２を検出し始める際の、基材２２の第２面２２ｂと外部導体７２との間の距離Ｅが大きくなる。すなわち、センサ部２４の感度が向上する。
【００６０】
図９に示す例において、間隔ｄは、第１隙間Ｓ１の幅ａに等しい。第１隙間Ｓ１の幅ａを大きくすると、第１隙間Ｓ１がユーザーに視認され易くなる。このため、図９に示す例においては、間隔ｄが制限され、この結果、センサ部２４の感度も制限される。
【００６１】
一方、図１０に示す例において、間隔ｄは、第１隙間Ｓ１の幅ａを二倍した値にダミー電極５０の幅を加えたものとなる。図１０に示す例によれば、第１隙間Ｓ１の幅ａを維持しながら間隔ｄを大きくして、センサ部２４の感度を向上させることができる。例えば、センサ部２４が外部導体７２を検出し始める際の、基材２２の第２面２２ｂと外部導体７２との間の距離Ｅを、図９に示す例の場合に比べて大きくすることができる。このことにより、例えば基材２２の厚みが大きい場合や、基材２２の第２面２２ｂ側に更に保護カバーなどが設けられる場合であっても、外部導体７２を適切に検出することができる。
【００６２】
また、図８に示す例において、ダミー電極５０は、第１線状部分３１及び第２線状部分４１と同様に、網目状のパターンを有するダミー電極用導線網５１を含む。ダミー電極用導線網５１は、第４方向Ｄ４に沿って直線状に延びる複数の第４方向ダミー電極用導線５１４と、第５方向Ｄ５に沿って直線状に延びる複数の第５方向ダミー電極用導線５１５と、を有する。第４方向ダミー電極用導線５１４は、その９割以上が、第１電極３０の第４方向電極用導線６１４ａのいずれかの延長線Ｌ４と重なるよう、配置されている。また、第５方向ダミー電極用導線５１５は、その９割以上が、第１電極の第５方向電極用導線６１５ａのいずれかの延長線Ｌ５と重なるよう、配置されている。このことにより、第１電極３０及び第２電極４０とダミー電極５０との間の隙間Ｓ１が目立つことを抑制することができる。
【００６３】
〔第３の実施の形態〕
以下、図１１を参照して、第３の実施の形態について説明する。第３の実施の形態は、電極用導線網や配線用導線網、ダミー電極用導線網を構成する導線の角度が異なるのみであり、他の構成は第２の実施の形態と略同一である。第３の実施の形態において、第２の実施の形態と同一部分には同一符号を付して詳細な説明は省略する。また、第２の実施の形態において得られる作用効果が本実施の形態においても得られることが明らかである場合、その説明を省略することもある。
【００６４】
図１１は、本実施例に係るタッチパネルセンサ２０の一部、とりわけセンサ部２４及び第１配線２６、を拡大して示す平面図である。図１１に示す例においては、導線６１４ａ，６１４ｂが延びる第４方向Ｄ４、及び、導線６１５ａ，６１５ｂが延びる第５方向Ｄ５が、第１線状部分３１及び第２線状部分４１が延びる第３方向Ｄ３に対してなす角度θ１及びθ２が、４５°よりも小さい。このため、電極用導線網６１によって画成される各開口部６２の第３方向Ｄ３における寸法ｈ３が、当該開口部６２の第３方向Ｄ３に直交する方向（ここでは第６方向Ｄ６）における寸法ｈ６よりも大きい。
【００６５】
本実施の形態によれば、導線６１４ａ，６１４ｂ及び導線６１５ａ，６１５ｂの第３方向Ｄ３に直交する方向（ここでは第６方向Ｄ６）における交点６１ａの間隔が、第３方向Ｄ３における交点６１ａの間隔よりも小さい。したがって、第１電極３０及び第２電極４０の第１線状部分３１及び第２線状部分４１の第３方向Ｄ３における寸法に対して第３方向Ｄ３に直交する方向（ここでは第６方向Ｄ６）の寸法を小さくしても、第１線状部分３１及び第２線状部分４１の各々において、第４方向電極用導線６１４ａ，６１４ｂ及び第５方向電極用導線６１５ａ，６１５ｂの交点６１ａが、第３方向Ｄ３に直交する方向に沿って少なくとも２つ以上並ぶことが可能である。これにより、第１線状部分３１及び第２線状部分４１が断線してしまう可能性を低減しつつ、各センサ部２４の第１線状部分３１及び第２線状部分４１を細くして、第１線状部分３１及び第２線状部分４１の本数を増加させることができる。この結果、各センサ部２４における第１線状部分３１の側部３１１及び第２線状部分４１の側部４１１の対向部分の長さが大きくなり、静電容量が増加する。
【００６６】
また、図１１に示す例においては、第１配線２６の導線８１４ａが延びる第４方向Ｄ４、及び、第１配線２６の導線８１５ａが延びる第５方向Ｄ５が、センサ部２４が並ぶ第１方向Ｄ１に対して成す角度θ１及びθ２が、４５°よりも小さい。このため、配線用導線網８１によって画成される各開口部８２の第１方向Ｄ１における寸法ｈ１が、当該開口部８２の第１方向Ｄ１に直交する方向（ここでは第２方向Ｄ２）における寸法ｈ２よりも大きい。
【００６７】
本実施の形態によれば、導線８１４及び導線８１５の第１方向Ｄ１に直交する方向（ここでは第２方向Ｄ２）における交点８１ａの間隔が、第１方向Ｄ１における交点８１ａの間隔よりも小さい。したがって、第１領域Ａａ１における第１配線２６の第１方向Ｄ１における寸法に対して第１方向Ｄ１に直交する方向（ここでは第２方向Ｄ２）の寸法を小さくしても、第１配線２６の各々において、第４方向配線用導線８１４ａ及び第５方向配線用導線８１５ａの交点８１ａが、第１方向Ｄ１に直交する方向に沿って少なくとも２つ以上並ぶことが可能である。これにより、第１配線２６が断線してしまう可能性を低減しつつ、第１配線２６を細くすることが可能である。この結果、第１領域Ａａ１において第１配線２６が占める面積を小さくすることができ、これにより、第１領域Ａａ１においてセンサ部２４が占める面積を大きくすることができる。
【００６８】
さらに、図１１に示す例においては、導線６１４ａ，６１４ｂ，５１４，８１４が延びる第４方向Ｄ４、及び、導線６１５ａ，６１５ｂ，５１５，８１５が延びる第５方向Ｄ５が、センサ部２４が並ぶ第１方向Ｄ１に対して成す角度θ１及びθ２は、１０°〜４５°である。
【００６９】
本実施の形態によれば、図１１に示すタッチパネルセンサ２０と表示装置１５とを組み合わせる際、タッチパネルセンサ２０のセンサ部２４が並ぶ第１方向Ｄ１と、表示装置１５に規則的に配列された画素の配列方向と、を一致させることにより、モアレを抑制する効果が期待できる。なお、モアレを抑制する効果は、導線６１４ａ，６１４ｂ，５１４，８１４が延びる第４方向Ｄ４、あるいは、導線６１５ａ，６１５ｂ，５１５，８１５が延びる第５方向Ｄ５と、センサ部２４が並ぶ第１方向Ｄ１と、が成す角度が３５°であるときに最も顕著である。
【００７０】
〔第４の実施の形態〕
以下、図１２を参照して、第４の実施の形態について説明する。第４の実施の形態は、電極用導線網や配線用導線網、ダミー電極用導線網を構成する導線の角度が異なるのみであり、他の構成は第２の実施の形態と略同一である。第４の実施の形態において、第２の実施の形態と同一部分には同一符号を付して詳細な説明は省略する。また、第２の実施の形態において得られる作用効果が本実施の形態においても得られることが明らかである場合、その説明を省略することもある。
【００７１】
図１２は、本実施例に係るタッチパネルセンサ２０の一部、とりわけセンサ部２４及び第１配線２６、を拡大して示す平面図である。図１２に示す例においては、導線６１４ａ，６１４ｂ，５１４，８１４ａ，８１４ｂが延びる第４方向Ｄ４と、センサ部２４が並ぶ第１方向Ｄ１と、が成す角度ψ１、及び、導線６１５ａ，６１５ｂ，５１５，８１５ａ，８１５ｂが延びる第５方向Ｄ５と、センサ部２４が並ぶ第１方向Ｄ１と、が成す角度ψ２と、が、４５°〜８０°の範囲内である。
【００７２】
本実施の形態によれば、図１２に示すタッチパネルセンサ２０と表示装置１５とを組み合わせる際、タッチパネルセンサ２０のセンサ部２４が並ぶ第１方向Ｄ１と、表示装置１５に規則的に配列された画素の配列方向と、を一致させることにより、モアレを抑制する効果が期待できる。なお、モアレを抑制する効果は、導線６１４ａ，６１４ｂ，５１４，８１４ａ，８１４ｂが延びる第４方向Ｄ４、あるいは、導線６１５ａ，６１５ｂ，５１５，８１５ａ，８１５ｂが延びる第５方向Ｄ５と、センサ部２４が並ぶ第１方向Ｄ１と、が成す角度ψ１，ψ２が５５°であるときに最も顕著である。
【００７３】
〔第５の実施の形態〕
以下、図１３を参照して、第５の実施の形態について説明する。第５の実施の形態は、第１電極の第１線状部分が延びる第３方向と、第１配線が延びる第１方向と、が成す角度が異なるのみであり、他の構成は第２の実施の形態と略同一である。第５の実施の形態において、第２の実施の形態と同一部分には同一符号を付して詳細な説明は省略する。また、第２の実施の形態において得られる作用効果が本実施の形態においても得られることが明らかである場合、その説明を省略することもある。
【００７４】
図１３は、本変形例に係るタッチパネルセンサ２０の複数のセンサ部２４の一部を、例えばセンサ部２４＿３１、センサ部２４＿４１、センサ部２４＿３２及びセンサ部２４＿４２を拡大して示す平面図である。図１３に示す例においては、第１線状部分３１が延びる第３方向Ｄ３が、第１配線２６が延びる第１方向Ｄ１と一致していない。
【００７５】
本実施の形態によれば、第３方向Ｄ３が第１方向Ｄ１と一致していなければ、第１隙間Ｓ１及び第３隙間Ｓ３がユーザーによって視認されてしまうことを抑制するという効果が期待できる。好ましくは、第１方向Ｄ１と第３方向Ｄ３とが成す角度φは、−１０°から１０°の範囲内である。図１３は、第１方向Ｄ１と第３方向Ｄ３とが成す角度φが０°よりもわずかに大きい例を示す図である。
【００７６】
図１３に示す例においては、第１隙間Ｓ１が延びる第３方向Ｄ３が、センサ部２４が並ぶ第１方向Ｄ１や第２方向Ｄ２に対して傾斜しているので、モアレを抑制する効果も期待できる。
【００７７】
なお、上述した実施の形態に対するいくつかの変形例を説明してきたが、当然に、複数の変形例を適宜組み合わせて適用することも可能である。
【符号の説明】
【００７８】
１０  タッチ位置検出機能付き表示装置
１５  表示装置
２０  タッチパネルセンサ
２２  基材
２４  センサ部
２６  第１配線
２６１  接続部分
２６２  線状部分
２８  第２配線
３０  第１電極
３１  第１線状部分
４０  第２電極
４１  第２線状部分
５０  ダミー電極
６１  電極用導線網
６２  開口部
７１  電気力線
７２  外部導体
【図１】
2018109823.tif 000003
【図２】
2018109823.tif 000004
【図３】
2018109823.tif 000005
【図４】
2018109823.tif 000006
【図５】
2018109823.tif 000007
【図６】
2018109823.tif 000008
【図７】
2018109823.tif 000009
【図８】
2018109823.tif 000010
【図９】
2018109823.tif 000011
【図１０】
2018109823.tif 000012
【図１１】
2018109823.tif 000013
【図１２】
2018109823.tif 000014
【図１３】
2018109823.tif 000015